(57)【要約】    【課題】  盛土の転圧などの施工に伴う壁面材（壁面）の傾斜の調整を可能にすることにより壁面変位を防止することができ、しかも盛土補強材の引抜き抵抗力が大きく、非常に安定した補強土構造物を提供する。    【解決手段】  盛り土層１の先端に壁面パネル２を積層する。盛り土層１内に一定の層厚ごとにジオテキスタイル３を埋設する。各ジオテキスタイル３の端部３ａをアンカー金具４と定着金具５を介して壁面パネル２に定着する。定着金具５は壁面パネル２の背面部に突設された複数の定着アーム６，６と、定着アーム６，６間に取り付けられた定着ビーム７とから構成する。定着ビーム７にジオテキスタイル３の端部３ａを定着する。定着ビーム７を壁面パネル２側に移動してジオテキスタイルを緊張する。【選択図】                  図１
2005097842.tif 000002
【特許請求の範囲】
【請求項１】
複数の壁面材を積層しつつ、一定の層厚ごとに盛土を撒き出し、かつ前記盛土内に一定の層厚ごとに高分子製網状体からなる盛土補強材を複数層に埋設し、その端部を定着金具を介して前記壁面材に定着してなる補強土構造物の施工方法において、前記定着金具は前記壁面材の背面部に突設された複数の定着アームと、当該定着アーム間に取り付けられた定着ビームとから構成し、前記盛土の上に前記盛土補強材を各層厚ごとに布設し、その定着領域の上に盛土を撒き出し、転圧して前記盛土補強材の定着領域を固定し、かつ前記盛土補強材の壁面材側の端部を定着ビームに定着して後、前記定着ビームを前記壁面材側に移動して前記盛土補強材を緊張し、かつ前記盛土補強材のゆるみ領域の上に盛土を撒き出し、転圧することを特徴とする補強土構造物の施工方法。
【請求項２】
定着アームは、壁面材の背面部に上下方向に回転自在に突設されてなることを特徴とする請求項１記載の補強土構造物の施工方法。
【請求項３】
定着アームに形成された雄ねじ部に螺合された定着ナットを締め付けて定着ビームを壁面材側に移動することにより、盛土補強材を緊張することを特徴とする請求項１または２記載の補強土構造物の施工方法。
【請求項４】
定着ビームを壁面材側に移動して盛土補強材を緊張して後、定着アームに所定間隔おきに形成されたくさび孔にくさびを挿入することを特徴とする請求項１または２記載の補強土構造物の施工方法。
【請求項５】
上下に隣接する壁面材どうしを互いに係合し合う連結キーと連結孔によって連結することを特徴とする請求項１〜４のいずれかに記載の補強土構造物の施工方法。
【請求項６】
壁面材として、矩形板状をなし、かつ左右両縁端部に同一平面内に突出する拡巾リブを有する壁面パネルを用いることを特徴とする請求項１〜５のいずれかに記載の補強土構造物の施工方法。
【請求項７】
横方向に隣接する複数の壁面材間に定着ビームを連続して設置し、該定着ビームを各壁面材に突設された定着アームにそれぞれ取り付けることを特徴とする請求項１〜６のいずれかに記載の補強土構造物の施工方法。
【発明の詳細な説明】
【技術分野】
【０００１】
本願発明は、盛土補強材として特に高分子製網状体からなる盛土補強材、例えばジオテキスタイル等を用いて擁壁や土留め壁、さらには堤防や防波堤などとして構築される補強土構造物の施工方法に関し、特に壁面傾斜の調整を可能にして壁面変位を防止することができ、しかも盛土補強材の引抜き抵抗力が大きく、非常に安定した補強土構造物の施工方法を提供するものである。
【背景技術】
【０００２】
補強土工法として、例えば図１２に図示するようにコンクリート製の壁面パネル３０を複数層に積層しつつ、その背部に盛土（裏込め土）３１を一定の層厚ごとに撒き出し、かつ充分に転圧した後、盛土補強材３２として一定の層厚ごとに高分子材料からなる網状補強材、例えば合成樹脂製のジオグリッド、或いは鉄筋を溶接してなる鉄筋グリッドやエキスパンドメタル等を埋設し、その先端側を壁面パネル３０に定着して擁壁などの補強土構造物を構築する補強土工法が知られている（特許文献Ｉ参照）。
【０００３】
この種の補強土工法においては、盛土はそれ自体引張強度を有しないため、引張強度をもつ盛土補強材３２を盛土３１内に埋設し、盛土３１と盛土補強材３２とを双方の摩擦力により一体化させて引張力を付与した盛土を土構造物として用いている。すなわち、盛土補強材３２に引張力が作用すると、その原理から盛土補強材３２に伸びが生じ、その引張力が盛土３１に付与されて盛土３１の安定が図られる。
【０００４】
また、当出願人はこれまで、例えば図１３（ａ），（ｂ）に図示するように、盛土補強材３２の壁面パネル３０側の端部を壁面パネル３０に溝形鋼からなる連結バー３３とこの連結バー３３の両端に突設された長ボルトからなる締結ボルト３４とこの締結ボルト３４に螺合された定着ナット３５を介して定着し、その際、盛土補強材３２を盛土３１内に埋設した後、定着ナット３５を締め付けて盛土補強材３２に張力を導入するようにした補強土工法を開発している（特許文献２参照）。
【０００５】
本工法は、特に定着ナット３５を締め付けることにより、盛土３１からの土圧、あるいは盛土補強材３２の伸びや弛み等による壁面（壁面パネル３０）の傾斜を調整し、壁面変位を防止することができる。
【特許文献１】特開２０００−８３７７号
【特許文献２】特公平４−４９６０９号
【発明の開示】
【発明が解決しようとする課題】
【０００６】
しかし、前者の場合、盛土補強材３２を用いて盛土３１に引張力を付与する際、盛土補強材３２が側方向に伸びてはじめて盛土３１に引張力を付与することが可能なことから、盛土補強材３２としてジオグリッド等の高分子材料を用いた補強土は変形が大きいことが宿命であり、また欠点でもある。
【０００７】
そのため、変形が問題になる土構造物や土留め壁にジオグリッド等の高分子材料を盛土補強材３２として使用することは適当でない。
【０００８】
また、盛土補強材３２としてジオグリッド等の高分子材料を用いる場合、高分子材料は変形性に富むことから盛土の転圧の際は盛土とよくなじむため入念に転圧できるものの、伸びが大きすぎて施工途中から壁面が土圧によって大きく変形してしまうことがあり、盛土の安定性からも美観上からも問題があった。
【０００９】
また、一枚の壁面パネル３０に複数の盛土補強材３２が定着される場合、複数の盛土補強材３２を均等に緊張することは非常に面倒であり、各盛土補強材３２が均等に緊張して定着されないとやはり壁面が土圧によって傾斜し、変形してしまうことがあった。
【００１０】
一方、後者の場合、図示するように、定着ナット３５は壁面パネル３０の表側から締め付ける構造になっているため、壁面パネル３０の支保工（図省略）が障害になって定着ナット３５の締め付けができないことがあり、また盛土補強材３２の端部と定着ナット３５は壁面パネル３０に形成された孔３０ａ内にあって壁面パネル３０の表側に露出しているため、外観上非常に見苦しい等の意匠上の問題があるだけでなく、孔３０ａを設けたことによる壁面パネル３０の断面欠損による強度低下を免れない等の問題があった。
【００１１】
本願発明は、以上の課題を解決するためになされたもので、特に盛土の転圧などの施工時の壁面材（壁面）の傾斜の調整を可能にすることにより、壁面変位を簡単に修正することができ、しかも盛土補強材の引抜き抵抗力が大きく、非常に安定した補強土構造物の施工方法を提供することを目的とするものである。
【課題を解決するための手段】
【００１２】
請求項１記載の補強土構造物の施工方法は、複数の壁面材を積層しつつ、一定の層厚ごとに盛土を撒き出し、かつ前記盛土内に一定の層厚ごとに高分子製網状体からなる盛土補強材を複数層に埋設し、その端部を定着金具を介して前記壁面材に定着してなる補強土構造物の施工方法において、前記定着金具を前記壁面材の背面部に突設された複数の定着アームと、当該定着アーム間に取り付けられた定着ビームとから構成し、前記盛土の上に前記盛土補強材を各層厚ごとに布設し、その定着領域の上に盛土を撒き出し、転圧して前記盛土補強材の定着領域を固定し、かつ前記盛土補強材の壁面材側の端部を定着ビームに定着して後、前記定着ビームを前記壁面材側に移動して前記盛土補強材を緊張し、前記盛土補強材のゆるみ領域の上に盛土を撒き出し、転圧することを特徴とするものである。
【００１３】
本願発明は、特に壁面材の背面部に突設された複数の定着アーム間に取り付けられた定着ビームを、壁面材側に移動して定着ビームに定着された盛土補強材に簡単に必要な張力を導入することができることで、盛土の土圧あるいは施工中の盛土補強材の伸びやゆるんだ定着により壁面材に傾きが生じたとしても、定着ビームを壁面材側に移動させて盛土補強材に張力を導入することにより壁面材の傾きや変位を簡単に修正することができる施工方法である。
【００１４】
なお、この場合の高分子製網状体からなる盛土補強材としては、ジオテキスタイルやジオグリッド等を用いることができる。
【００１５】
請求項２記載の補強土構造物の施工方法は、請求項１記載の補強土構造物の施工方法において、定着アームを壁面材の背面部に上下方向に回転自在に突設してなることを特徴とするものである。
【００１６】
請求項３記載の補強土構造物は、請求項１または２記載の補強土構造物の施工方法において、定着アームに形成された雄ねじ部に螺合された定着ナットを締め付けて定着ビームを壁面材側に移動することにより、盛土補強材を緊張することを特徴とするものである。本願発明は、特に定着ナットを締め付けるだけで盛土補強材を簡単に緊張して壁面材の傾きや変位を簡単に修正することができるようにしたものである。
【００１７】
請求項４記載の補強土構造物は、請求項１または２記載の補強土構造物の施工方法において、定着ビームを壁面材側に移動して盛土補強材を緊張して後、定着アームに所定間隔おきに形成されたくさび孔にくさびを挿入することを特徴とする。本願発明は、定着ビームを定着アームにくさびによって簡単にかつ確実に固定できるようにしたものである。この方法によればくさび等がさび付いて定着ビームを固定できなくなる等の問題が生ずることはない。
【００１８】
請求項５記載の補強土構造物の施工方法は、請求項１〜４のいずれかに記載の補強土構造物の施工方法において、上下に隣接する壁面材どうしを互いに係合し合う連結キーと連結孔によって連結することを特徴とするものである。
【００１９】
請求項６記載の補強土構造物の施工方法は、請求項１〜５のいずれかに記載の補強土構造物の施工方法において、壁面材として、矩形板状をなし、かつ左右両縁端部に同一平面内に突出する拡巾リブを有する壁面パネルを用いることを特徴とするものである。
【００２０】
請求項７記載の補強土構造物の施工方法は、請求項１〜６のいずれかに記載の補強土構造物の施工方法において、横方向に隣接する複数の壁面材間に定着ビームを連続して設置し、該定着ビームを各壁面材に突設された定着アームにそれぞれ取り付けることを特徴とするものである。
【発明の効果】
【００２１】
本願発明は以上説明したとおりであり、特に壁面材の背面部に突設された複数の定着アーム間に取り付けられた定着ビームを、壁面材側に移動させて該定着ビームに定着された盛土補強材を簡単に緊張させることができることで、盛土による土圧、あるいは施工中の盛土補強材の伸びやゆるんだ定着により壁面材に傾きが生じたとしても、壁面材の傾きや変位を簡単に修正することができる。
【００２２】
また、高分子製網状体からなる盛土補強材を用いることで、盛土の転圧を入念に行うことができるため、盛土補強材の引抜き抵抗力が大きく、非常に安定した補強土構造物を提供することができる。
【発明を実施するための最良の形態】
【００２３】
図１〜図６において、現地発生材などからなる盛り土を入念に転圧して盛り土層１が形成され、この盛り土層１の先端に壁面材として複数の壁面パネル２が複数段に積層され、かつ横方向に互いに隣接して積層されている。
【００２４】
また、盛り土層１内に高分子製網状体からなる盛土補強材として一定の層厚ごとにジオテキスタイルまたはジオグリッド３（以下「ジオテキスタイル３」という）が複数層に埋設され、各ジオテキスタイル３の壁面パネル２側の端部３ａはアンカー金具４と定着金具５を介して各壁面パネル２に定着されている。
【００２５】
壁面パネル２は、例えば図３（ａ）〜（ｄ）に図示するように略矩形板状に形成されたパネル本体２ａと、その左右両縁端部の同一平面内に突設された拡巾リブ２ｂ，２ｂとから一体的に形成され、かつパネル本体２ａおよび拡巾リブ２ｂ，２ｂの周縁部に継手２ｃと２ｄがそれぞれ形成されている。
【００２６】
また、パネル本体２ａの背面部に複数のアンカー金具４が突設され、必要に応じて、パネル本体２ａの背面部に複数の補強リブ（図省略）が上下方向に平行に連続して形成されている。
【００２７】
拡巾リブ２ｂ，２ｂは、パネル本体２ａの中央部分より下側に、正面視ほぼ台形状に形成され、補強リブ（図省略）はパネル本体２ａの両端よりやや内側に断面略台形状または断面略矩形状に形成されている。
【００２８】
また、拡巾リブ２ｂの各角部（コーナ部）イは、例えば図３（ｂ）に図示するように鈍角（または弧状）に形成されていることで、盛り土層１の転圧に際して上下・左右の壁面パネル２に加わる土圧にばらつきが生じても、また不同沈下などで垂直面で隣接する壁面パネル２どうしが変位したとしても、拡巾リブ２ｂの角部イが簡単には破壊しないようになっている。
【００２９】
また、継手２ｃと２ｄとして相決り（あいじゃくり）が形成されていることで、複数の壁面パネル２，２が上下方向および横方向に互いに隣接して設置された際、継手２ｃと２ｄが互いに係合し、一定範囲で可動性を有することにより、応力集中を防止することができ、また壁面パネル２，２間の接続部の面外方向へのずれや外れを防止することができる。
【００３０】
さらに、壁面パネル２を積層する際に、壁面パネル２の位置決めが容易となり、また盛り土層１の転圧時などに盛り土層１からの大きな土圧で隣接する壁面パネル２，２間の継手部（目地部）から盛り土の一部が流出したり、壁面パネル２が面外方向に変位したりするのを確実に防止することができ、したがって薄い壁面パネルであるにもかかわらず安定した壁面を形成することができる。
【００３１】
ジオテキスタイル３は一定幅の帯状に形成され、かつ盛土層１内に一定の層厚ごとに複数層に埋設され、かつ各ジオテキスタイル３の壁面パネル２側の端部３ａは、壁面パネル２の背面部に突設されたアンカー金具４に定着金具５を介して定着されている。
【００３２】
また、ジオテキスタイル３は、例えば図４（ａ），（ｂ）に図示するように、各壁面パネル２につき少なくとも２層づつ埋設され、かつ各ジオテキスタイル３の壁面パネル２側の端部３ａは、壁面パネル２の背面部に突設されたアンカー金具４に定着金具５を介してそれぞれ定着されている。さらに、各層のジオテキスタイル３は同一レベルで埋設されている。
【００３３】
アンカー金具４は、図５（ａ）〜（ｃ）に図示するように平面視ほぼＵ字状に形成され、かつ各壁面パネル２のパネル本体２ａの背面部にその上下方向および横方向に所定間隔をおいて複数埋設されている。
【００３４】
この場合、各アンカー金具４はその開口端側がパネル本体２ａの背面より平行に突出した状態でパネル本体２ａの背面部に埋設され、各アンカー金具４のパネル本体２ａの背面より突出する二枚のフランジ部４ａ，４ａには上下方向に細長い長孔４ｂ，４ｂが対向して形成されている。
【００３５】
なお、例えば図６（ａ），（ｂ）に図示するように、パネル本体２ａの背面より突出する二枚のフランジ部４ａ，４ａに連結プレート４ｃ，４ｃを平行に突設し、この連結プレート４ｃ，４ｃに長孔４ｂ，４ｂが対向して形成されていてもよい。また、図６（ｃ）に図示するように、連結プレート４ｃ，４ｃに長孔４ｂの代わりに単に円形の孔４ｄが形成されていてもよい。
【００３６】
定着金具５は、例えば図７（ａ），（ｂ）に図示するように、壁面パネル２の背面部にその横方向に所定間隔をおいて突設された一組のアンカー金具４，４に一端側がそれぞれ連結された一組の定着アーム６，６と、この定着アーム６，６の自由端側の端部間に水平に架け渡された一本の定着ビーム７とから形成されている。
【００３７】
定着アーム６は、鉄筋などの鋼棒からなるアーム本体６ａと、そのアンカー金具４側の端部に突設された定着プレート６ｂとから形成され、自由端側に雄ねじ部６ｃがアーム本体６ａの材軸方向に連続して形成されている。また、定着プレート６ｂに貫通孔６ｄが形成され、雄ねじ部６ｃに定着ナット８が螺合されている。
【００３８】
アーム本体６ａの端部に定着プレート６ｂを突設する方法としては、例えば図６（ａ）の場合にあっては、アーム本体６ａの端部に定着プレート６ｂが溶接することにより直接突設されており、また図６（ｂ）の場合にあっては、定着プレート６ｂの端部に形成された切欠き部の中に定着ナット６ｅが溶接され、この定着ナット６ｅにアーム本体６ａの端部が螺合することにより突設されている。
【００３９】
そして、アンカー金具４のフランジ部４ａ，４ａ間に定着プレート６ｂが挿入され、かつフランジ部４ａ，４ａの長孔４ｂ，４ｂと定着プレート６ｂの貫通孔６ｄに定着ボルト９が連続して挿着されていることで、定着アーム６の壁面パネル２側の端部がアンカー金具４に連結されている。
【００４０】
この場合、定着アーム６の壁面パネル２側の端部は定着ボルト９を軸に上下方向に自由に回転し、かつ上下方向に自由にスライドすることができる。
【００４１】
定着ビーム７は溝形鋼や山形鋼、あるいは帯鋼などから形成され、両端部に定着アーム６の端部が貫通可能な貫通孔７ａ，７ａがそれぞれ形成され、貫通孔７ａ，７ａを定着アーム６，６の雄ねじ部６ｃ，６ｃが貫通し、かつ雄ねじ部６ｃ，６ｃに定着ナット８，８がそれぞれ螺合されている。こうして定着アーム６，６の自由端側の端部間に定着ビーム７が取り付けられている。
【００４２】
そして、定着ナット８，８を締め付けたり緩めたりすることにより定着ビーム７の位置を定着アーム６，６の材軸方向（壁面パネル２の面外方向）に自由に移動させることができ、また、その任意の位置に固定できるようになっている。また、この定着ビーム７にジオテキスタイル３の壁面パネル２側の端部３ａが巻き付ける等して定着されている。
【００４３】
図８は定着金具５の変形例を示し、特に横方向に隣接する複数の壁面パネル２，２間に一本の定着ビーム７が連続して設置され、かつこの定着ビーム７は各壁パネル２に突設された定着アーム６，６にそれぞれ取り付けられている。この例によれば、横方向に隣接して埋設された複数のジオテキスタイル３を均等に緊張させることができるとともに、横方向に隣接する複数の壁面パネル２，２の傾きや変位を同時に調整することができる。
【００４４】
このような構成において、次に図９（ａ）〜（ｄ）に図示する例に基いて施工方法を説明する。
【００４５】
１．積層済の壁面パネル２の上に壁面パネル２Ａを新たに積層する。また、入念に転圧した盛土層１Ａの上に、ジオテキスタイル３Ａを布設し、その定着領域（ジオテキスタイルの自由端側）Ａの上に盛土１ａを撒き出し、入念に転圧してジオテキスタイル３Ａの定着領域Ａを固定する（８（ａ），（ｂ）参照）。
【００４６】
２．次に、ジオテキスタイル３Ａの壁面パネル２側の端部３ａを定着ビーム７に巻き付ける等して定着する。そして、定着ナット８を締め付けて定着ビーム７を壁面パネル２側に移動して、ジオテキスタイル３Ａに必要な張力を導入してジオテキスタイル３Ａを緊張し、同時に壁面パネル２Ａの傾きを修正する（８（ｃ）参照）。
【００４７】
３．次に、ゆるみ領域（定着ビーム７と定着領域Ａとの間）Ｂの上に盛土１ｂを撒き出し、入念に転圧する（８（ｄ）参照）。以下、同様にして、複数の壁面パネル２を積層しつつ、一定の層厚ごとに盛土を撒き出し、かつ盛土内に一定の層厚ごとにジオテキスタイル３複数層に埋設し、転圧して目的の補強土構造物を構築する。
【００４８】
図１０（ａ），（ｂ）および図１１（ａ），（ｂ）は、いずれも定着アームの変形例を示したものである。
【００４９】
図１０（ａ）の場合、定着プレート６ｂの代わりにＵ字形鉄筋６ｆが用いられており、Ｕ字形鉄筋６ｆの開口端側に定着ナット６ｅが溶接され、この定着ナット６ｅにアーム本体６ａの端部が螺合されている。
【００５０】
そして、アンカー金具４のフランジ部４ａ，４ａ間にＵ字形鉄筋６ｆが挿入され、かつフランジ部４ａ，４ａの長孔４ｂ，４ｂとＵ字形鉄筋６ｆに定着ボルト９が連続して挿着されていることで、定着アーム６の壁面パネル２側の端部がアンカー金具４に連結されている。
【００５１】
この場合、定着アーム６の壁面パネル２側の端部は定着ボルト９を軸に上下方向に自由に回転し、かつ上下方向に自由にスライドすることができる。
【００５２】
また、図１０（ｂ），（ｃ）の場合にあっては、パネル本体２ａの背面部にアンカー金具４の代わりにインサートナット１０が埋設され、このインサートナット１０にアンカー金具１１が突設されている。そして、このアンカー金具１１に定着アーム６の壁面パネル２側の端部が連結ボルト１２によって上下方向に回転自在に連結されている。
【００５３】
この場合、アンカー金具１１の端部と定着アーム６の端部に水平に貫通する連結リング部１１ａと６ｇがそれぞれ形成され、この連結リング部１１ａと６ｇに連結ボルト１２が連続して挿着されている。
【００５４】
また、アンカー金具１１はその反対側の端部に形成された雄ねじ部をインサートナット１０に螺合することにより壁面パネル２の背面部に突設されている。
【００５５】
そして、図１１（ａ），（ｂ）の場合にあっては、定着アーム６の代わりとして溝形鋼などの形鋼からなる定着アーム１３が用いられている。この場合の定着アーム１３には上下方向に貫通するくさび孔１３ａが定着アーム１３の材軸方向に所定間隔おきに複数形成されている。
【００５６】
また、壁面パネル２側の端部に定着プレート１３ｂが突設され、定着プレート１３ｂに貫通孔１３ｃが形成されている。そして、アンカー金具４のフランジ部４ａ，４ａ間に定着プレート１３ｂが挿入され、かつフランジ部４ａ，４ａの長孔４ｂ，４ｂと定着プレート１３ｂの貫通孔１３ｃに定着ボルト９が連続して挿着されていることで、定着アーム１３の壁面パネル２側の端部がアンカー金具４に連結されている。
【００５７】
この場合、定着アーム１３の壁面パネル２側の端部は定着ボルト９を軸に上下方向に自由に回転し、かつ上下方向に自由にスライドすることができる。
【００５８】
定着ビーム１４は溝形鋼から形成され、その両端部に定着アーム１３の端部が貫通可能な貫通孔１４ａ，１４ａが形成されている。そして、両端の貫通孔１４ａ，１４ａを定着アーム１３，１３がそれぞれ貫通し、くさび孔１３ａ，１３ａにくさび１５，１５がそれぞれ挿入されている。こうして、定着アーム１３，１３の自由端側の端部間に定着ビーム１４が取り付けられている。また、くさび１５，１５の位置を変えることで定着ビーム１４を定着アーム１３，１３の材軸方向の任意の位置に固定できるようになっている。
【００５９】
このような構成において、ジオテキスタイル３の定着領域を盛土層１内に埋設し、入念に転圧して定着した後、定着ビーム１４を壁面パネル２側に移動してジオテキスタイル３に必要な張力を導入し、かつくさび孔１３ａ，１３ａにくさび１５，１５を挿入することによりジオテキスタイル３の端部を定着することができる。
【００６０】
定着ビーム１４がこのように取り付けられていることで、図２に図示するようにジオテキスタイル３を敷設するとともに定着領域Ａに盛土を撒き出し、転圧してジオテキスタイル３の定着領域Ａ側を固定した後、ジオテキスタイル３の壁面バネル２側の端部を定着ビーム１４に巻き付けて定着し、かつ定着ビーム１４を壁面パネル２側に移動してジオテキスタイル３に必要な張力を導入することができる。
【００６１】
なお、上記ジオテキスタイル３の自由端側は定着領域Ａで折り返し、その上に盛土し、転圧して固定してもよい。
【００６２】
これによってジオテキスタイル３のゆるみによって生ずる過大の伸びを生じにくくすることができる。その結果、上載盛土によって生ずるジオテキスタイル３の伸びによる引張力が効果的に盛土に付与されることになる。
【図面の簡単な説明】
【００６３】
【図１】道路などに面する擁壁として構築された補強土構造物の一例を示し、（ａ）はその一部正面図、（ｂ）はその一部縦断面図である。
【図２】道路などに面する擁壁として構築された補強土構造物の一例を示す一部平面図である。
【図３】壁面パネルの一例を示し、（ａ）はその平面図、（ｂ）はその正面図、（ｃ）はその側面図、（ｄ）は壁面パネル継手部の断面図である。
【図４】補強土構造物の一例を示し、（ａ）はその一部正面図、（ｂ）はその縦断面図である。
【図５】壁面パネルと定着アームとの連結部を示し、（ａ），（ｂ）はその縦断面図、（ｃ）はその横断面図である。
【図６】壁面パネルと定着アームとの連結部を示し、（ａ），（ｃ）はその縦断面図、（ｂ）はその横断面図である。
【図７】（ａ），（ｂ）は、壁面パネルと定着アームとの連結部を示す分解斜視図である。
【図８】補強土構造物の一例を示す平面図である。
【図９】（ａ）〜（ｄ）は施工方法を示す縦断面図である。
【図１０】（ａ），（ｂ）は、壁面パネルと定着アームとの連結部を示す分解斜視図、（ｃ）は、縦断面図である。
【図１１】（ａ）は、壁面パネルと定着アームとの連結部を示す分解斜視図、（ｂ）は、定着ビームと盛土補強材との連結部を示す縦断面図である。
【図１２】道路などに面する擁壁として構築された従来の補強土構造物の一例を示す縦断面図である。
【図１３】道路などに面する擁壁として構築された従来の補強土構造物の一例を示し、（ａ）はその一部斜視図、（ｂ）はその一部縦断面図である。
【符号の説明】
【００６４】
１  盛土（盛土層）
２  壁面パネル（壁面材）
３  ジオテキスタイル（盛土補強材）
４  アンカー金具
５  定着金具
６  定着アーム
７  定着ビーム
８  定着ナット
９  定着ボルト
１０  インサートナット
１１  アンカー金具
１２  連結ボルト
１３  定着アーム
１４  定着ビーム
１５  くさび
【図１】
2005097842.tif 000003
【図２】
2005097842.tif 000004
【図３】
2005097842.tif 000005
【図４】
2005097842.tif 000006
【図５】
2005097842.tif 000007
【図６】
2005097842.tif 000008
【図７】
2005097842.tif 000009
【図８】
2005097842.tif 000010
【図９】
2005097842.tif 000011
【図１０】
2005097842.tif 000012
【図１１】
2005097842.tif 000013
【図１２】
2005097842.tif 000014
【図１３】
2005097842.tif 000015